(57)【要約】【課題】断線や接続部分の損傷を防止できると共に、着脱作業を簡単に行うことができる電子機器の充電用ケーブルを提供する。【解決手段】同軸ケーブル１と、同軸ケーブル１の一端部に設けられた第１接続端子２と、同軸ケーブル１の他端部に設けられた第２接続端子３とを備えた電子機器の充電用ケーブルＷ１であって、第１接続端子１は、同軸ケーブル１の一端部に接続されている基端部１０と、基端部１０に磁力により着脱自在に取り付けられる第１コネクタ部２０と有し、第２接続端子３は、同軸ケーブル１の他端部に接続されている基端部１０と、基端部１０に磁力により着脱自在に取り付けられる第２コネクタ部３０と有し、第１コネクタ部２０は、電子機器のコネクタポートに接続される第１コネクタ２７を有し、第２コネクタ部３０は、ＵＳＢコネクタ２７を有している。【選択図】図１
2020120502.tif 000002
【特許請求の範囲】
【請求項１】
同軸ケーブルと、該同軸ケーブルの一端部に設けられた第１接続端子と、該同軸ケーブルの他端部に設けられた第２接続端子とを備えた電子機器の充電用ケーブルであって、
前記第１接続端子は、前記同軸ケーブルの一端部に接続されている第１基端部と、該第１基端部に磁力により着脱自在に取り付けられて該同軸ケーブルと電気的に接続される第１コネクタ部と有し、
前記第２接続端子は、前記同軸ケーブルの他端部に接続されている第２基端部と、該第２基端部に磁力により着脱自在に取り付けられて該同軸ケーブルと電気的に接続される第２コネクタ部と有し、
前記第１コネクタ部は、前記電子機器のコネクタポートに接続される第１コネクタを有し、
前記第２コネクタ部は、ＵＳＢコネクタを有していることを特徴とする充電用ケーブル。
【請求項２】
前記第１コネクタは、マイクロＵＳＢコネクタ、ミニＵＳＢコネクタ及びLightningコネクタのいずれかであり、
前記ＵＳＢコネクタは、TypeA、TypeＢ及びTypeＣのいずれかのＵＳＢコネクタであることを特徴とする請求項１に記載の充電用ケーブル。
【請求項３】
前記第１基端部及び前記第２基端部は、いずれも、前記同軸ケーブルの端部に固定されている絶縁スリーブと、該絶縁スリーブの内部に保持され且つ前記同軸ケーブルに電気的接続された第１接続ピンとを有し、
前記絶縁スリーブの先端部の中心部から前記第１接続ピンの端部が露出していると共に、該絶縁スリーブの先端部の外周部には、前記露出した第１接続ピンの外周を囲むように、第１極のマグネットが設けられ、この先端部が第１着脱部になっており、
前記第１コネクタ部は、一端部で前記第１コネクタを立設させて支持すると共に、その内部に前記第１コネクタに電気的に接続された第２接続ピンを保持する第１コネクタ支持部を有し、
前記第１コネクタ支持部の他端部の中心部から前記第２接続ピンの端部が露出していると共に、前記第１コネクタ支持部の他端部には、前記露出した第２接続ピンの外周を囲むように、前記第１極と対になる第２極のマグネットが設けられ、前記第１コネクタ支持部の他端部が前記第１着脱部と磁力により着脱自在に取り付けられる第２着脱部になっており、
前記第２コネクタ部は、一端部で前記ＵＳＢコネクタを立設させて支持すると共に、その内部に前記ＵＳＢコネクタに電気的に接続された第３接続ピンを保持する第２コネクタ支持部を有し、
前記第２コネクタ支持部の他端部の中心部から前記第３接続ピンの端部が露出していると共に、前記第２コネクタ支持部の他端部には、前記露出した第３接続ピンの外周を囲むように、前記第１極と対になる第２極のマグネットが設けられ、前記第２コネクタ支持部の他端部が前記第１着脱部と磁力により着脱自在に取り付けられる第３着脱部になっていることを特徴とする請求項１又は２に記載の充電用ケーブル。
【請求項４】
前記第１着脱部に、前記第１コネクタ部の第２着脱部を近接させると、前記第１極のマグネットに前記第２極のマグネットが磁力により引き寄せられて吸着されると共に、前記第１接続ピンと前記第１コネクタ部の第２接続ピンとが当接して電気的に接続されるようになっており、
前記第１着脱部に、前記第２コネクタ部の第３着脱部を近接させると、前記第１極のマグネットに前記第２極のマグネットが磁力により引き寄せられて吸着されると共に、前記第１接続ピンと前記第２コネクタ部の第３接続ピンとが当接して電気的に接続されるようになっていることを特徴とする請求項３に記載の充電用ケーブル。
【請求項５】
前記絶縁スリーブは、略円筒状に形成されており、
前記第１接続ピンは、絶縁スリーブの内部で分岐しており、分岐した一方の端部が前記絶縁スリーブの先端部の中心部から露出しており、分岐した他方の端部が前記絶縁スリーブの側面部から露出しており、
前記側面部から露出した第１接続ピンの外周を囲むように、前記第１極のマグネットが設けられ、該側面部にも前記第１着脱部が形成されていることを特徴とする請求項３又は４に記載の充電用ケーブル。
【請求項６】
請求項１〜５の何れかに記載の充電用ケーブルと、延長ケーブルとを備えた充電用ケーブルシステムであって、
前記延長ケーブルは、同軸ケーブルと、該同軸ケーブルの一端部に設けられた第３基端部と、該同軸ケーブルの他端部に設けられた延長用接続端子とを備え、
前記第３基端部は、前記第１基端部と同じ構成になっており、
前記延長用接続端子は、前記充電用ケーブルの第１基端部或いは前記第２基端部に磁力により着脱自在に取り付けられるようになっていることを特徴とする充電用ケーブルシステム。
【発明の詳細な説明】
【技術分野】
【０００１】
本発明は、充電用ケーブル及び充電用ケーブルシステムに関し、例えば、スマートフォン、デジタルカメラ等の電子機器を充電するために用いられる充電用ケーブル及び充電用ケーブルシステムに関する。
【背景技術】
【０００２】
従来から、スマートフォン、デジタルカメラ等の電子機器を充電するためにＵＳＢケーブルが利用されている。このＵＳＢケーブルは、その一端部にTypeAやTypeＣ等のＵＳＢコネクタが設けられ、その他端部に電子機器のコネクタポートに挿嵌され接続されるコネクタが設けられている。なお、他端部に設けられるコネクタは、接続される電子機器により異なっているが、マイクロＵＳＢ（MicroA、MicroＢ、MicroＣ等のマイクロＵＳＢ）コネクタや、ミニＵＳＢコネクタ、Lightningコネクタ等が用いられている。
【０００３】
そして、ＰＣ（personal computer）や自動車の車内等に設けられたＵＳＢポート（差込口）に、ＵＳＢケーブルの一端部のＵＳＢコネクタを挿嵌し、電子機器に設けられたコネクタポート（差込口）に、ＵＳＢケーブルの他端部のコネクタを挿嵌し装着することで、電子機器が充電されるようになっている。
なお、電子機器の充電に用いられるＵＳＢケーブルは、例えば、特許文献１に開示されている。
【先行技術文献】
【特許文献】
【０００４】
【特許文献１】特開２０１０−１０４１５５号公報
【発明の開示】
【発明が解決しようとする課題】
【０００５】
しかしながら、上述した従来技術のＵＳＢケーブルは、以下に示す課題を有している。
具体的には、従来技術のＵＳＢケーブルは、ＰＣや電子機器の差込口に、コネクタ（ＵＳＢコネクタ、マイクロＵＳＢコネクタ等のコネクタ）を装着したり、或いは取り外したりする際に、ユーザが接続部分（コネクタ及び差込口）に不用な力を加えてしまい、ＵＳＢケーブルを断線させたり、或いは接続部分を損傷させたりする虞があるという課題を有している。これは、ＰＣや電子機器の差込口に対してコネクタを着脱する場合、繊細な作業が要求されるが、その着脱作業の際に、ユーザが誤って余分な力を加えてしまうことがあることによる。
また、自動車の車内に設けられＵＳＢポートは、目視が難しい位置に設けられていることが多く、従来技術のＵＳＢケーブルは、ＵＳＢポートへの装着作業に手間がかかるという課題も有している。
【０００６】
本発明は、上記課題に鑑みてなされたものであり、その目的は、断線や接続部分の損傷を防止できると共に、着脱作業を簡単に行うことができる電子機器の充電用ケーブル及び充電用ケーブルシステムを提供することにある。
【課題を解決するための手段】
【０００７】
上記課題を解決するためになされた本発明は、同軸ケーブルと、該同軸ケーブルの一端部に設けられた第１接続端子と、該同軸ケーブルの他端部に設けられた第２接続端子とを備えた電子機器の充電用ケーブルであって、前記第１接続端子は、前記同軸ケーブルの一端部に接続されている第１基端部と、該第１基端部に磁力により着脱自在に取り付けられて該同軸ケーブルと電気的に接続される第１コネクタ部と有し、前記第２接続端子は、前記同軸ケーブルの他端部に接続されている第２基端部と、該第２基端部に磁力により着脱自在に取り付けられて該同軸ケーブルと電気的に接続される第２コネクタ部と有し、前記第１コネクタ部は、前記電子機器のコネクタポートに接続される第１コネクタを有し、前記第２コネクタ部は、ＵＳＢコネクタを有していることを特徴とする。
また、前記第１コネクタは、マイクロＵＳＢコネクタ、ミニＵＳＢコネクタ及びLightningコネクタのいずれかであり、前記ＵＳＢコネクタは、TypeA、TypeＢ及びTypeＣのいずれかのＵＳＢコネクタであることが望ましい。
【０００８】
このように、本発明の充電用ケーブルは、両端部に設けられた接続端子（第１接続端子、第２接続端子）は、いずれも、磁力により着脱自在に分離できる２つの構成部（「第１基端部及び第１コネクタ部」、「第２基端部及び第２コネクタ部」）により構成されている。そして、第１コネクタ部は、第１基端部に磁力により着脱自在に取り付けられて同軸ケーブルと電気的に接続されるようになっている。また、第２コネクタ部は、第２基端部に磁力により着脱自在に取り付けられて同軸ケーブルと電気的に接続されるようになっている。
【０００９】
この構成によれば、一度、コネクタポート（差込口）に接続端子（第１接続端子、第２接続端子）のコネクタ部分（第１コネクタ部、第２コネクタ部）を挿嵌して装着すれば、その後は、基端部（第１基端部、第２基端部）を持って磁力に対抗する力で引っ張れば、接続端子のコネクタ部分（第１コネク部、第２コネクタ部）だけを差込口に装着して残した状態のままで、接続端子の基端部だけが接続された充電用ケーブルを取り外すことができる。この取り外すときには、基端部を持って磁力に対抗する力で引っ張れば基端部からコネクタ部分（第１コネクタ部、第２コネクタ部）が分離するようになっており、接続部分（コネクタ及び差込口）に不用な力が加わることがない。
また、接続端子（第１接続端子、第２接続端子）のコネクタ部分（第１コネクタ部、第２コネクタ部）だけを差込口に装着した状態のままで、接続端子の基端部だけが接続された充電用ケーブルを取り外した後、再度、その充電用ケーブルを接続する場合、コネクタ部分（第１コネクタ部、第２コネクタ部）に対して、基端部を近づければ磁力で吸引されて、接続部分（コネクタ及び差込口）に不用な力が加わることがなく、簡単に、コネクタ部分と基端部とが再接続される。
【００１０】
このように、本発明では、充電用ケーブルの両端部に設けられた接続端子（第１接続端子、第２接続端子）は、いずれも、磁力により着脱自在に分離できる２つの構成部により構成されている。そのため、本発明では、ＰＣや電子機器の差込口に接続端子（第１接続端子２、第２接続端子２）を一度装着すれば、その後は、接続部分（コネクタ及び差込口）に不用な力が加わることがなく、ＰＣや電子機器に対して充電用ケーブルの着脱を簡単に行うことができる。そのため、本発明によれば断線したり、或いは接続部分が損傷したりする可能性が軽減される。
また、本発明では、接続端子の基端部と、接続端子のコネクタ部分（第１コネクタ部、第２コネクタ部）とが磁力により相互に引き寄せられて接続されるため、例えば、自動車の車内に設けられＵＳＢポートのように、目視が難しいこところであっても、一度装着すれば、その後は、簡単に充電用ケーブルの着脱を行うことができる。
【００１１】
また、前記第１基端部及び前記第２基端部は、いずれも、前記同軸ケーブルの端部に固定されている絶縁スリーブと、該絶縁スリーブの内部に保持され且つ前記同軸ケーブルに電気的接続された第１接続ピンとを有し、前記絶縁スリーブの先端部の中心部から前記第１接続ピンの端部が露出していると共に、該絶縁スリーブの先端部の外周部には、前記露出した第１接続ピンの外周を囲むように、第１極のマグネットが設けられ、この先端部が第１着脱部になっており、前記第１コネクタ部は、一端部で前記第１コネクタを立設させて支持すると共に、その内部に前記第１コネクタに電気的に接続された第２接続ピンを保持する第１コネクタ支持部を有し、前記第１コネクタ支持部の他端部の中心部から前記第２接続ピンの端部が露出していると共に、前記第１コネクタ支持部の他端部には、前記露出した第２接続ピンの外周を囲むように、前記第１極と対になる第２極のマグネットが設けられ、前記第１コネクタ支持部の他端部が前記第１着脱部と磁力により着脱自在に取り付けられる第２着脱部になっており、前記第２コネクタ部は、一端部で前記ＵＳＢコネクタを立設させて支持すると共に、その内部に前記ＵＳＢコネクタに電気的に接続された第３接続ピンを保持する第２コネクタ支持部を有し、前記第２コネクタ支持部の他端部の中心部から前記第３接続ピンの端部が露出していると共に、前記第２コネクタ支持部の他端部には、前記露出した第３接続ピンの外周を囲むように、前記第１極と対になる第２極のマグネットが設けられ、前記第２コネクタ支持部の他端部が前記第１着脱部と磁力により着脱自在に取り付けられる第３着脱部になっていることが望ましい。
【００１２】
また、前記第１着脱部に、前記第１コネクタ部の第２着脱部を近接させると、前記第１極のマグネットに前記第２極のマグネットが磁力により引き寄せられて吸着されると共に、前記第１接続ピンと前記第１コネクタ部の第２接続ピンとが当接して電気的に接続されるようになっており、前記第１着脱部に、前記第２コネクタ部の第３着脱部を近接させると、前記第１極のマグネットに前記第２極のマグネットが磁力により引き寄せられて吸着されると共に、前記第１接続ピンと前記第２コネクタ部の第３接続ピンとが当接して電気的に接続されるようになっていることが望ましい。
【００１３】
また、前記絶縁スリーブは、略円筒状に形成されており、前記第１接続ピンは、絶縁スリーブの内部で分岐しており、分岐した一方の端部が前記絶縁スリーブの先端部の中心部から露出しており、分岐した他方の端部が前記絶縁スリーブの側面部から露出しており、前記側面部から露出した第１接続ピンの外周を囲むように、前記第１極のマグネットが設けられ、該側面部にも前記第１着脱部が形成されていることが望ましい。
この構成によれば、コネクタポート（差込口）に接続端子（第１接続端子、第２接続端子）を一度装着すれば、その後は、基端部（第１基端部、第２基端部）の絶縁スリーブに設けられた２箇所の第１着脱部のうち、着脱し易い方を利用して、充電ケーブルの着脱を行うことができる。
【００１４】
また、本発明は、上記の充電用ケーブルと、延長ケーブルとを備えた充電用ケーブルシステムであって、前記延長ケーブルは、同軸ケーブルと、該同軸ケーブルの一端部に設けられた第３基端部と、該同軸ケーブルの他端部に設けられた延長用接続端子とを備え、前記第３基端部は、前記第１基端部と同じ構成になっており、前記延長用接続端子は、前記充電用ケーブルの第１基端部或いは前記第２基端部に磁力により着脱自在に取り付けられるようになっていることを特徴とする。
【発明の効果】
【００１５】
本発明によれば、断線や接続部分の損傷を防止できると共に、着脱作業を簡単に行うことができる電子機器の充電用ケーブル及び充電用ケーブルシステムを提供することができる。
【図面の簡単な説明】
【００１６】
【図１】本発明の第１実施形態の充電用ケーブルの全体構成を示した模式図である。
【図２】本発明の第１実施形態の充電用ケーブルの一端部に設けられる第１接続端子の構成を説明するための模式図であり、（Ａ）が第１接続端子をコネクタ側から見た模式図であり、（Ｂ）が第１接続端子をケーブル側から見た模式図である。
【図３】本発明の第１実施形態の充電用ケーブルの他端部に設けられる第２接続端子の構成を説明するための模式図であり、（Ａ）が第２接続端子をコネクタ側から見た模式図であり、（Ｂ）が第２接続端子をケーブル側から見た模式図である。
【図４】本発明の第１実施形態の充電用ケーブルの接続端子を構成する基端部の先端部側の断面を示した模式図である。
【図５】本発明の第１実施形態の充電用ケーブルの接続端子を構成する基端部の先端部を正面から見た模式図である。
【図６】本発明の第１実施形態の充電用ケーブルの接続端子を構成する第１コネクタ部を示した模式図であり、（Ａ）が第１コネクタ部の側面を示した模式図であり、（Ｂ）が第１コネクタ部に設けられた着脱部を正面から見た模式図であり、（Ｃ）が第１コネクタ部に設けられたマイクロＵＳＢコネクタを正面から見た模式図である。
【図７】本発明の第１実施形態の充電用ケーブルの接続端子を構成する第２コネクタ部を示した模式図であり、（Ａ）が第２コネクタ部の側面を示した模式図であり、（Ｂ）が第２コネクタ部に設けられた着脱部を正面から見た模式図であり、（Ｃ）が第２コネクタ部に設けられたＵＳＢコネクタを正面から見た模式図である。
【図８】本発明の第１実施形態の充電用ケーブルの一端部に設けられる第１接続端子の他の例を説明するための模式図であり、（Ａ）が他の例の第１接続端子をコネクタ側から見た模式図であり、（Ｂ）が他の例の第１接続端子をケーブル側から見た模式図である。
【図９】本発明の第２実施形態の充電用ケーブルの全体構成を示した模式図である。
【図１０】本発明の第３実施形態の充電用ケーブルシステムを構成する延長ケーブルの全体構成を示した模式図である。
【図１１】本発明の第３実施形態の充電用ケーブルシステムを構成する延長ケーブルの変形例を示した模式図である。
【発明を実施するための最良の形態】
【００１７】
以下、本発明の実施形態（第１実施形態、第２実施形態）の充電用ケーブルについて、図面に基づいて説明する。
【００１８】
《第１実施形態》
先ず、本発明の第１実施形態の充電用ケーブルの概略構成について図１〜３を参照しながら説明する。
ここで、図１は、第１実施形態の充電用ケーブルの全体構成を示した模式図である。また、図２は、第１実施形態の充電用ケーブルの一端部に設けられる第１接続端子の構成を説明するための模式図であり、（Ａ）が第１接続端子をコネクタ側から見た模式図であり、（Ｂ）が第１接続端子をケーブル側から見た模式図である。また、図３は、第１実施形態の充電用ケーブルの他端部に設けられる第２接続端子の構成を説明するための模式図であり、（Ａ）が第２接続端子をコネクタ側から見た模式図であり、（Ｂ）が第２接続端子をケーブル側から見た模式図である。
【００１９】
図１に示すように、第１実施形態の充電用ケーブルＷ１は、同軸ケーブル１と、同軸ケーブル１の一端部に設けられた接続端子（第１接続端子）２と、同軸ケーブルの他端部に設けられた接続端子（第２接続端子）３とを備えており、スマートフォン、デジタルカメラ等の電子機器（図示せず）を充電するために用いられる。
【００２０】
接続端子２は、同軸ケーブル１の一端部に接続・固定されている基端部（第１基端部）１０と、基端部１０に対して磁力により着脱自在に取り付けられる第１コネクタ部２０と有している。そして、接続端子２は、基端部１０に第１コネクタ部２０を取り付けて一体にした状態（図１の状態）と、基端部１０から第１コネクタ２０を分離させた状態（図２の状態）とにできるようになっている。
また、第１コネクタ部２０は、電子機器のコネクタポート（差込口）に挿嵌されて接続される第１コネクタ２７を有している。図中では、一例として、第１コネクタ２７が、MicroAのマイクロＵＳＢコネクタである場合を示している。そして、第１コネクタ部２０が基端部１０に装着されると、第１コネクタ２７が同軸ケーブル１と電気的に接続されるようになっている。
【００２１】
また、接続端子３は、同軸ケーブル１の他端部に接続・固定されている基端部（第２基端部）１０と、基端部１０に対して磁力により着脱自在に取り付けられる第２コネクタ部３０と有している（図３参照）。なお、接続端子３の基端部（第２基端部）１０は、接続端子２の基端部（第１基端部）１０と同じ構成になっている。
そして、接続端子３は、基端部１０に第２コネクタ部３０を取り付けて一体にした状態（図１の状態）と、基端部１０から第２コネクタ部３０を分離させた状態（図３の状態）とにできるようになっている。
また、第２コネクタ部３０は、TypeAのＵＳＢコネクタである第２コネクタ３７を有している。そして、第２コネクタ部２０は、基端部１０に装着されると、第２コネクタ３７が同軸ケーブル１と電気的に接続されるようになっている。
【００２２】
次に、本発明の第１実施形態の充電用ケーブルＷ１の基端部１０の構成について、上述した図１〜３と、図４、５を参照しながら説明する。
ここで、図４は、第１実施形態の充電用ケーブルの接続端子を構成する基端部の先端部側の断面を示した模式図であり、図５は、第１実施形態の充電用ケーブルの接続端子を構成する基端部の先端部を正面から見た模式図である。
【００２３】
図４、５に示すように、基端部（第１基端部、第２基端部）１０は、同軸ケーブル１の両端部にそれぞれ固定されている絶縁スリーブ１１と、絶縁スリーブ１１の内部に保持され且つ同軸ケーブル１の銅線に電気的接続された第１接続ピン１５とを有している。
上記の絶縁スリーブ１１は、略円筒状に形成され、その内部に絶縁材１１ｃが充填されており、その中心部に、第１接続ピン１５が収容・保持されている。また、図４に示す例では、絶縁スリーブ１１は、先端部から所定寸法にわたって同じ径寸法に形成されている同径部１１ａと、同径部１１ａの後端部から延設され、且つ後端部から後方に向けて徐々に径寸法が小さくなっている縮径部１１ｂとにより構成されている。なお、縮径部１１ｂは、後端部の径寸法が、同軸ケーブル１の保護被覆部の径寸法と同じ寸法（或いは、僅かに大きい寸法）になっており、縮径部１１ｂの後端部が同軸ケーブル１の保護被覆部の外周部に嵌合・固定されている。
【００２４】
また、絶縁スリーブ１１の先端部（先端面）は、その中心部に円形状に凹んだ凹部１１ｃ１が設けられており、凹部１１ｃ１の中心部から第１接続ピン１５の先端部が露出している（突出している）。また、絶縁スリーブ１１の先端部（先端面）の外周部には、露出した第１接続ピン１５の外周を囲むように、環状のマグネット１２が設けられており、この先端部が、コネクタ部（第１コネクタ部２０、第２コネクタ部３０）と着脱される第１着脱部１３になっている。
なお、マグネット１２は、２極（Ｎ極、Ｓ極の２極）のうちの一方の第１極（例えばＮ極）のものが用いられている。
【００２５】
次に、第１実施形態の充電用ケーブルＷ１の第１コネクタ部２０の構成について、上述した図１、２と、図６を参照しながら説明する。
ここで、図６は、第１実施形態の充電用ケーブルの接続端子を構成する第１コネクタ部を示した模式図であり、（Ａ）が第１コネクタ部の側面を示した模式図であり、（Ｂ）が第１コネクタ部に設けられた着脱部を正面から見た模式図であり、（Ｃ）が第１コネクタ部に設けられたマイクロＵＳＢコネクタを正面から見た模式図である。
【００２６】
図６に示すように、第１コネクタ部２０は、第１コネクタ２７と、略円板状に形成された第１コネクタ支持部２１とを備えている。この第１コネクタ支持部２１は、合成樹脂等の絶縁材料により形成されており、その一端部（一端面）で第１コネクタ２７を立設・支持し、その内部に第１コネクタ２７に電気的に接続された第２接続ピン２５を収容・保持している。
また、第１コネクタ支持部２１は、その他端部（他端面）の中心部で第２接続ピン２５の端部が露出している（突出している）。また、第１コネクタ支持部２１の他端部の外周部には、露出した第２接続ピン２５の外周を囲むように、第１極（例えばＮ極）と対になる第２極（例えばＳ極）のマグネット２２（環状のマグネット２２）が設けられている。この他端部が、上述した基端部（第１基端部、第２基端部）１０の第１着脱部１３に磁力により着脱自在に取り付けられる第２着脱部２３になっている。
【００２７】
そして、基端部１０の第１着脱部１３に対して、第１コネクタ部２０の第２着脱部２３を近接させると、第１着脱部１３に設けられた第１極のマグネット１２に、第２着脱部２３に設けられた第２極のマグネット２２が磁力により引き寄せられて吸着される。このとき、磁力により、基端部１０の第１着脱部１３の中心と、第１コネクタ部２０の第２着脱部の中心とが一致するように位置合わせされて接続され、基端部１０の第１着脱部１３の第１接続ピン１５と、第１コネクタ部２０の第２着脱部２３の第２接続ピン２５とが当接して電気的に接続されるようになっている。この構成により、第１コネクタ２７が同軸ケーブル１に電気的に接続される。
なお、基端部１０に第１コネクタ部２０が取付けられて一体になった状態（図１の状態）において、ユーザが、基端部１０及び第１コネクタ部２０のうちの一方を把持して磁力に抗する力で引っ張れば、基端部１０と第１コネクタ部２０を分離させて、図２の状態にすることができる。
【００２８】
次に、第１実施形態の充電用ケーブルＷ１の第２コネクタ部３０の構成について、上述した図１、３と、図７を参照しながら説明する。
ここで、図７は、第１実施形態の充電用ケーブルの接続端子を構成する第２コネクタ部を示した模式図であり、（Ａ）が第２コネクタ部の側面を示した模式図であり、（Ｂ）が第２コネクタ部に設けられた着脱部を正面から見た模式図であり、（Ｃ）が第２コネクタ部に設けられたＵＳＢコネクタを正面から見た模式図である。
【００２９】
図７に示すように、第２コネクタ部３０は、第２コネクタ３７と、矩形ブロック状に形成された第２コネクタ支持部３１とを備えている。この第２コネクタ支持部３１は、合成樹脂等の絶縁材料により形成されており、その一端部（一端面）で第２コネクタ３７を立設・支持し、その内部に第２コネクタ３７に電気的に接続された第３接続ピン３５を収容・保持している。
また、第２コネクタ支持部３１は、その他端部の中心部に第３接続ピン３５の端部が露出していると共に、露出した第３接続ピン３５の外周を囲むように、第１極（例えばＮ極）と対になる第２極（例えばＳ極）のマグネット３２（環状のマグネット３２）が設けられている。そして、この他端部の「露出している第３接続ピン３５及びマグネット３５」が、上述した基端部１０の第１着脱部１３に磁力により着脱自在に取り付けられる第３着脱部３３になっている。
【００３０】
そして、基端部（第１基端部、第２基端部）１０の第１着脱部１３に対して、第２コネクタ部３０の第３着脱部３３を近接させると、第１着脱部１３に設けられた第１極のマグネット１２に、第３着脱部３３に設けられた第２極のマグネット３２が磁力により引き寄せられて吸着される。このときに、磁力により、基端部１０の第１着脱部１３の中心と、第２コネクタ部３０の第３着脱部の中心とが一致するように位置合わせされて接続され、基端部１０の第１着脱部１３の第１接続ピン１５と、第２コネクタ部３０の第３着脱部３３の第３接続ピン３５とが当接して電気的に接続されるようになっている。この構成により、第３コネクタ３７が同軸ケーブル1に電気的に接続される。
なお、基端部１０に第２コネクタ部３０が取付けられて一体になった状態（図１の状態）において、ユーザが、基端部１０及び第２コネクタ部３０のうちの一方を把持して磁力に抗する力で引っ張れば、基端部１０と第２コネクタ部３０を分離させて、図３の状態にすることができる。
【００３１】
上記のように構成された充電用コネクタＷ１は、例えば、以下のように用いられる。
先ず、充電用コネクタＷ１を図１に示す状態、すなわち、同軸ケーブル１の一端部の基端部１０に第１コネクタ部２０が取付けられ、同軸ケーブル１の他端部の基端部１０に第２コネクタ部３０が取り付けられた状態（図１に示す状態）にする。
次に、電子機器に設けられたコネクタポート（差込口）に、充電用ケーブルＷ１の一端部の第１コネクタ２７を挿嵌し装着すると共に、ＰＣや自動車の車内等に設けられたＵＳＢポート（差込口）に、充電用ケーブルＷ１の他端部の第２コネクタ（ＵＳＢコネクタ）３７を挿嵌し装着する。これにより、充電用ケーブルＷ１を介して、電子機器に充電がなされる。
【００３２】
また、上記のように充電用ケーブルＷ１の一端部が電子機器の差込口に接続されている状態において、ユーザは、充電用ケーブルＷ１の一端部側の基端部１０を持って引っ張ることで、電子機器の差込口に第１コネクタ部２０が装着された状態のままで、第１コネクタ部２０から基端部１０を分離させて、電子機器の差込口から充電用ケーブルＷ１を取り外すことができるようになっている。
なお、第１着脱部１３に設けられた第１極のマグネット１２と、第２着脱部２３に設けられた第２極のマグネット２２とを吸着させる磁力は、電気機器の差込口に挿嵌された第１コネクタ２７を差込口から引き抜く力よりも小さくなるように設定されている。
【００３３】
また、上記のように充電用ケーブルＷ１の他端部がＰＣや自動車の車内等に設けられた差込口に接続されている状態において、ユーザは、充電用ケーブルＷ１の他端部側の基端部１０を持って引っ張ることで、差込口に第２コネクタ部３０が装着された状態のままで、第２コネクタ部３０から基端部１０を分離させ、ＰＣ等に設けられた差込口から充電用ケーブルＷ１を取り外すことができるようになっている。
なお、第１着脱部１３に設けられた第１極のマグネット１２と、第３着脱部３３に設けられた第２極のマグネット３２とを吸着させる磁力は、差込口（ＵＳＢポート）に挿嵌された第２コネクタ（ＵＳＢコネクタ）３７を差込口から引き抜く力よりも小さくなるように設定されている。
【００３４】
その後、再度、電子機器を充電したい場合、電子機器の差込口に装着されている第１コネクタ部２０の第２着脱部２３に、第１コネクタ部２０から分離している基端部１０の第１着脱部１３を近接させると、第１着脱部１３に設けられた第１極のマグネット１２と、第２着脱部２３に設けられた第２極のマグネット２２とが磁力により相互に引き寄せられて吸着されて、電子機器のコネクタポートに装着された第２コネクタ２７が同軸ケーブル1に電気的に接続される。
また、ＰＣ等に設けられた差込口に装着された第２コネクタ部３０の第３着脱部３３に、第２コネクタ部３０から分離している基端部１０の第１着脱部１３を近接させると、第１着脱部１３に設けられた第１極のマグネット１２と、第３着脱部３３に設けられた第２極のマグネット３２とが磁力により相互に引き寄せられて吸着されて、ＵＳＢコネクタポートに装着された第３コネクタ３７が同軸ケーブル1に電気的に接続される。
【００３５】
以上説明したように、本発明の第１実施形態の構成によれば、一度、差込口に接続端子（第１接続端子２、第２接続端子３）のコネクタ部分（第１コネクタ部２０、第２コネクタ部３０）を挿嵌して装着すれば、その後は、接続端子のコネクタ部分（第１コネクタ部２０、第２コネクタ部３０）だけを差込口に装着して残した状態のままで、接続端子の基端部１０だけが接続された充電用ケーブルＷ１を取り外すことができる。この取り外すときには、基端部１０を持って磁力に対抗する力で引っ張れば良く、接続部分（コネクタ及び差込口）に不用な力が加わることがない。
【００３６】
また、接続端子（第１接続端子２、第２接続端子３）のコネクタ部分（第１コネクタ部２０、第２コネクタ部３０）だけを差込口に装着した状態のままで、接続端子の基端部１０だけが接続された充電用ケーブルＷ１を取り外した後、再度、その充電用ケーブルＷ１を接続する場合、コネクタ部分（第１コネクタ部２０、第２コネクタ部３０）の着脱部（第２着脱部２３或いは第３着脱部３３）に対して、基端部１０の第１着脱部１３を近づければ磁力で吸引されて、接続部分（コネクタ及び差込口）に不用な力が加わることがなく、簡単に、コネクタ部分と基端部１０とが接続される。
【００３７】
このように、第１実施形態では、充電用ケーブルＷ１の両端部に設けられた接続端子（接続端子２、接続端子３）は、いずれも、磁力により着脱自在に分離できる２つの構成部により構成されている。そのため、第１実施形態によれば、ＰＣや電子機器の差込口に接続端子（接続端子２、接続端子３）を一度装着すれば、その後は、接続部分（コネクタ及び差込口）に不用な力が加わることがなく、ＰＣや電子機器に対して充電用ケーブルＷ１の着脱を簡単に行うことができる。そのため、第１実施形態によれば断線したり、或いは接続部分が損傷したりする可能性が軽減される。
また、第１実施形態では、接続端子（接続端子２、接続端子３）の基端部１０と、接続端子のコネクタ部分（第１コネクタ部２０、第２コネクタ部３０）とが磁力により相互に引き寄せられて接続されるため、例えば、自動車の車内に設けられＵＳＢポートのように、目視が難しいこところであっても、一度装着すれば、簡単に同軸ケーブルの着脱を行うことができる。
【００３８】
また、上述した第１実施形態では、第１接続端子２のコネクタ部分（第１コネクタ２７）が、MicroAのマイクロＵＳＢコネクタである場合を示しているが、これは一例にすぎない。例えば、図８に示すように、第１接続端子２のコネクタ部分がMicroＢのマイクロＵＳＢコネクタであっても良い。
図８は、第１実施形態の充電用ケーブルの一端部に設けられる第１接続端子の他の例を説明するための模式図であり、（Ａ）が他の例の第１接続端子をコネクタ側から見た模式図であり、（Ｂ）が他の例の第１接続端子をケーブル側から見た模式図である。
なお、図８の他の例では、上述した第１実施形態と同じ構成には同じ符号を付している。
【００３９】
図示する接続端子２は、同軸ケーブル１の一端部に接続されている基端部（第１基端部）１０と、基端部１０に対して磁力により着脱自在に取り付けられる第１コネクタ部４０と有している。そして、接続端子２は、基端部１０に第１コネクタ部４０を取り付けて一体にした状態と、基端部１０から第１コネクタ４０を分離させた状態とにできるようになっている。
【００４０】
上記の第１コネクタ部４０は、上述した図２で説明した第１コネクタ部２０の第１コネクタ２７を、第１コネクタ４７に代えている以外は、図２の第１コネクタ部２０と同じ構成になっている。
具体的には、第１コネクタ部４０は、MicroＢのマイクロＵＳＢコネクタである第１コネクタ４７と、略円板状に形成された第１コネクタ支持部２１とを備えている。この第１コネクタ支持部２１は、合成樹脂等の絶縁材料により形成されており、その一端部（一端面）で第１コネクタ４７を立設・支持し、その内部に第１コネクタ４７に電気的に接続された第２接続ピン２５を収容・保持している。
【００４１】
なお、第１実施形態では、第１コネクタ支持部２１に様々な仕様のコネクタを搭載させることができる。例えば、第１コネクタ支持部２１にLightningコネクタが設けられていても良いし、ｍｉｎｉＵＳＢコネクタが設けられていても良い。
そして、複数の仕様の異なるコネクタを備えた第１コネクタ部２０を設けておくと、第１コネクタ部２０を交換することで、様々な電子機器の充電に対応することができる。例えば、出張や旅行に、デジタルカメラ、スマートフォン、モバイルＰＣ等の複数種の電子機器を持っていく場合に、１本の充電用ケーブル１０と、仕様の異なるコネクタを備えた第１コネクタ部２０を複数個用意して持っていけば、１本の充電ケーブルＷ１で、複数種の電子機器を充電することができる。
【００４２】
《第２実施形態》
次に、本発明の第２実施形態の充電用ケーブルの概略構成について図９を参照しながら説明する。
ここで、図９は、第２実施形態の充電用ケーブルの全体構成を示した模式図である。
なお、第２実施形態の充電用ケーブルＷ２は、上述した第１実施形態の充電用ケーブルＷ１の基端部１０を、基端部１００に変更した以外は、第１実施形態と同じである。そのため、第２実施形態の説明では、第１実施形態と異なる構成を中心に説明し、第１実施形態と同じ構成（或いは相当する構成）には同じ符号を付して説明を省略或いは簡略化する。
【００４３】
図示するように、第２実施形態の充電用ケーブルＷ２は、同軸ケーブル１と、同軸ケーブル１の一端部に設けられた接続端子（第１接続端子）２と、同軸ケーブルの他端部に設けられた接続端子（第２接続端子）３とを備えており、スマートフォン、デジタルカメラ等の電子機器を充電するために用いられる。
【００４４】
接続端子２は、同軸ケーブル１の一端部に接続されている基端部（第１基端部）１００と、基端部１００に対して磁力により着脱自在に取り付けられる第１コネクタ部２０と有している。
また、接続端子３は、同軸ケーブル１の他端部に接続されている基端部（第２基端部）１００と、基端部１００に対して磁力により着脱自在に取り付けられる第２コネクタ部３０と有している（図３参照）。なお、接続端子３の基端部（第２基端部）１００は、接続端子２の基端部（第１基端部）１００と同じ構成になっている。
【００４５】
上記の基端部１００は、上述した第１実施形態で説明した第１着脱部１３が、２つ設けられた構成になっている。
具体的には、基端部（第１基端部、第２基端部）１００は、同軸ケーブル１の両端部にそれぞれ固定されている絶縁スリーブ１１０と、絶縁スリーブ１１０の内部に保持され且つ同軸ケーブル１の銅線に電気的接続された第１接続ピン１５０とを有している。
上記の絶縁スリーブ１１０は、略円筒状に形成された本体部１１０ａと、本体部１１０ａの側面部から突設している円筒状に形成された分岐部１１０ｂとを備え、その内部に絶縁材が充填されており、当該内部に第１接続ピン１５０が収容・保持されている。
【００４６】
また、第１接続ピン１５０は、絶縁スリーブ１１０の内部で２つに分岐している。
具体的には、第１接続ピン１５０は、同軸ケーブル１の銅線（図示せず）に接続されている本線部１５０ａと、本線部１５０ａの略中間部分で分岐し且つ本線部１５０ａに対して略直角方向に延設された分岐線部１５０ｂとにより形成されている。
また、第１接続ピン１５０は、二つに分岐している一方の端部（本線部１５０ａの先端部）が前記絶縁スリーブ１５０の本体部の先端部（先端面）から露出しており、分岐している他方の端部部（分岐線部１５０ｂの先端部）が本体部１１０ａの側面部から突設している分岐部１１０ｂの先端部（先端面）から露出している。
【００４７】
また、本体部１１０ａの先端部（先端面）には、本体部１１０ａの先端部（先端面）から露出している第１接続ピン１５０（本線部１５０ａの先端部）の外周部に第１極のマグネット１２が設けられ、この先端部が第１着脱部１３になっている。
また、本体部１１０ａの側面部から突設している分岐部１１０ｂの先端部（先端面）から露出している第１接続ピン１５０（分岐線部１５０ｂの先端部）の外周部に第１極のマグネット１２が設けられ、この先端部も第１着脱部１３になっている。
【００４８】
そして、第２実施形態では、同軸ケーブル１の両端部にそれぞれ設けられた各基端部１００の２箇所の第１着脱部１３に対して、第１コネクタ部２０の第２着脱部２３を近接させると、第１着脱部１３に設けられた第１極のマグネット１２に、第２着脱部２３に設けられた第２極のマグネット２２が磁力により引き寄せられて吸着される。このとき、磁力により、基端部１００の第１着脱部１３の中心と、第１コネクタ部２０の第２着脱部２３の中心とが一致するように位置合わせされて接続され、基端部１０の第１着脱部１３の第１接続ピン１５０と、第１コネクタ部２０の第２着脱部２３の第２接続ピン２５とが当接して電気的に接続されるようになっている。この構成により、第１コネクタ２７が同軸ケーブル１に電気的に接続される。
【００４９】
また、同軸ケーブル１の両端部にそれぞれ設けられた各基端部１００の２箇所の第１着脱部１３に対して、第２コネクタ部３０の第３着脱部３３を近接させると、第１着脱部１３に設けられた第１極のマグネット１２に、第３着脱部３３に設けられた第２極のマグネット２２が磁力により引き寄せられて吸着される。このとき、磁力により、基端部１００の第１着脱部１３の中心と、第２コネクタ部３０の第３着脱部３３の中心とが一致するように位置合わせされて接続され、基端部１００の第１着脱部１３の第１接続ピン１５０と、第２コネクタ部３０の第２着脱部２３の第３接続ピン３５とが当接して電気的に接続されるようになっている。この構成により、第２コネクタ３７が同軸ケーブル１に電気的に接続される。
【００５０】
以上説明したように、本発明の第２実施形態においても、第１実施形態と同様の作用効果が得られる。
さらに、第２実施形態の構成によれば、差込口に接続端子（第１接続端子、第２接続端子）を一度装着すれば、その後は、基端部（第１基端部、第２基端部）１００の絶縁スリーブ１１０に設けられた2箇所の第１着脱部１３のうち、着脱し易い方を利用して、ケーブルの着脱を行うことができる。
【００５１】
《第３実施形態》
次に、本発明の第３実施形態について上述した図１〜４、図１０、１１を参照しながら説明する。本発明の第３実施形態は、上述した第１実施形の充電用ケーブルＷ１に、延長ケーブルＷ３を付加した充電用ケーブルシステムになっている。
ここで、図１０は、第３実施形態の充電用ケーブルシステムを構成する延長ケーブルの全体構成を示した模式図である。また、図１１は、第３実施形態の充電用ケーブルシステムを構成する延長ケーブルの変形例を示した模式図である。
なお、第３実施形態の説明では、第１実施形態と異なる構成を中心に説明し、第１実施形態と同じ構成（或いは相当する構成）には同じ符号を付して説明を省略或いは簡略化する。
【００５２】
第３実施形態の充電用ケーブルシステムは、図１に示す充電用ケーブルＷ１と、図１０に示す延長ケーブルＷ３とを有している。
【００５３】
また、図１０に示す延長ケーブルＷ３は、同軸ケーブル１と、同軸ケーブル１の一端部に設けられた基端部（第３基端部）１０と、同軸ケーブル１の他端部に設けられた延長用接続端子２００とを備えている。この延長用接続端子２００は、充電用ケーブルＷ１（図１〜３参照）の接続端子２、３からコネクタ部（第１コネクタ２０、第２コネクタ部３０）を取り外した基端部１０の第１着脱部１３（図４参照）に、磁力により着脱自在に取り付けられるようになっている。
なお、延長ケーブルＷ３の一端部に設けられた基端部１０は、充電用ケーブルＷ１の基端部１０と同じものである。
【００５４】
また、延長用接続端子２００は、同軸ケーブル１の他端部に固定されている絶縁スリーブ２１０と、絶縁スリーブ２１０の内部に保持され且つ同軸ケーブル１の銅線に電気的接続された第２接続ピン２５とを有している。
【００５５】
上記の絶縁スリーブ２１０は、略円筒ホーン形状に形成され、その内部に絶縁材２１０ｃが充填されており、その中心部に、第２接続ピン２５が収容・保持されている。また、図示する例では、絶縁スリーブ２１０は、先端部から後端部に向けて徐々に径寸法が小さくなっている。また、絶縁スリーブ２１０は、後端部の径寸法が、同軸ケーブル１の保護被覆部の径寸法と同じ寸法（或いは、僅かに大きい寸法）になっており、この後端部が同軸ケーブル１の保護被覆部の外周部に嵌合・固定されている。
【００５６】
また、絶縁スリーブ２１０の先端部（先端面）では、中心部から第２接続ピン２５の先端部が露出している（突出している）。また、絶縁スリーブ２１０の先端部（先端面）の外周部には、露出した第２接続ピン２５の外周を囲むように、環状のマグネット２２が設けられており、この先端部が、基端部１０の第１着脱部１３（図４参照）に磁力により着脱自在に取り付けられる第２着脱部２３になっている。この第２着脱部２３は、上述した第１実施形態の第１コネクタ部２０に設けられているものと同じである。
【００５７】
この構成によれば、例えば、充電用ケーブルＷ１（図１参照）の一端部の接続端子２の基端部１０から第１コネクタ部２０を取り外し、第１コネクタ部２０が取り外された基端部１０の第１着脱部１３に、延長ケーブルＷ３の他端部の延長用接続端子２００の第２着脱部２３を近接させることにより、充電用ケーブルＷ１の基端部１０に、磁力により、延長ケーブルＷ３の一端部の延長用接続端子２００が接続される。
そして、延長ケーブルＷ３の一端部に設けられている基端部１０に、取り外した第１コネクタ部２０を近接させて磁力により接続させることで、充電用ケーブルＷ１の長さ寸法を延長することができる。
【００５８】
なお、図１０に示した第３実施形態の延長ケーブルＷ３は、同軸ケーブル１の一端部に基端部１０が設けられ、他端部に延長用接続端子２００が設けられているが特にこれに限定されるものではない。
例えば、図１１に示す延長ケーブルＷ４のように、同軸ケーブル１の両端部に、それぞれ、延長用接続端子２００が設けられていても良い。この場合は、充電用ケーブルＷ１及び延長ケーブルＷ４に加えて、さらに、充電用ケーブルＷ１の接続端子２、３からコネクタ部（第１コネクタ部２０、第２コネクタ部３０）が取り外されたケーブルを用意することで、３本のケーブルを延長することができる。
【００５９】
また、第３実施形態の充電用ケーブルシステムは、図１に示す充電用ケーブルＷ１と、図１０に示す延長ケーブルＷ３とを有しているが、特にこれに限定されるものではない。第３実施形態の充電ケーブルシステムは、図９に示す充電用ケーブルＷ２と、図１０に示す延長ケーブルＷ３とを有する構成であっても良い、
【００６０】
なお、本発明は、上述した実施形態に限定されるものではなく、その要旨の範囲内において、種々の変更が可能である。
【００６１】
例えば、上述した実施形態（第１実施形態、第２実施形態）では、接続端子２、３のコネクタの適用例として、ＵＳＢコネクタ、マイクロＵＳＢコネクタ、Lightningコネクタ、ｍｉｎｉＵＳＢコネクタを用いる例を説明したが、とくにこれに限定されるものではない。コネクタは、充電できる仕様のものであれば良い。
【符号の説明】
【００６２】
Ｗ１、Ｗ２…充電用ケーブル
１…同軸ケーブル
２…接続端子（第１接続端子）
３…接続端子（第２接続端子）
１０…基端部（第１基端部、第２基端部）
１１…絶縁スリーブ
１１ａ…同径部
１１ｂ…縮径部
１１ｃ…絶縁材
１１ｃ１…凹部
１２…マグネット
１３…第１着脱部
１５…第１接続ピン
２０、４０…第１コネクタ部
２１…第１コネクタ支持部
２２…マグネット
２３…第２着脱部
２５…第２接続ピン
２７、４７…第１コネクタ
３０…第２コネクタ部
３１…第２コネクタ支持部
３２…マグネット
３３…第３着脱部
３５…第３接続ピン
３７…第２コネクタ
１００…基端部（第１基端部、第２基端部）
１１０…絶縁スリーブ
１１０ａ…本体部
１１０ｂ…分岐部
１５０…第１接続ピン
１５０ａ…本線部
１５０ｂ…分岐線部
Ｗ３、Ｗ４…延長ケーブル
２００…延長用接続端子
２１０…絶縁スリーブ
２１０ｃ…絶縁材
【図１】
2020120502.tif 000003
【図２】
2020120502.tif 000004
【図３】
2020120502.tif 000005
【図４】
2020120502.tif 000006
【図５】
2020120502.tif 000007
【図６】
2020120502.tif 000008
【図７】
2020120502.tif 000009
【図８】
2020120502.tif 000010
【図９】
2020120502.tif 000011
【図１０】
2020120502.tif 000012
【図１１】
2020120502.tif 000013